(57)【要約】【課題】利用者の負担を増大させることなく、利用者の携帯する全ての携帯端末を同様の鳴動設定に切り替えること。【解決手段】本発明の携帯端末１０は、Ｎ台の携帯端末１０の各々の通信手段の情報を格納する端末リスト１４と、自端末の鳴動設定の切り替えが指示される鳴動指示部１２と、鳴動指示部１２にて鳴動設定の切り替えが指示された場合、その鳴動設定への切り替えを行うと共に、その鳴動設定への切り替えを指示する切替指示メッセージを作成し、端末リスト１４内の通信手段の情報を用いて、Ｎ台の携帯端末１０のうちの自端末以外の他端末に対し、切替指示メッセージを送信する鳴動制御部１５と、を有する。【選択図】図２
2015005863.tif 000002
【特許請求の範囲】
【請求項１】
各々が鳴動機能を備える複数台の携帯端末のうちの１つの携帯端末であって、
前記複数台の携帯端末毎に、該携帯端末との通信に用いる通信手段の情報を格納する端末リストと、
自端末の鳴動設定の切り替えが指示される鳴動指示部と、
前記鳴動指示部にて自端末の鳴動設定の切り替えが指示された場合、該鳴動設定への切り替えを行うと共に、該鳴動設定の内容を含み、該鳴動設定への切り替えを指示する切替指示メッセージを作成し、前記端末リスト内の前記通信手段の情報を用いて、前記複数台の携帯端末のうちの自端末以外の他端末に対し、前記切替指示メッセージを送信する鳴動制御部と、を有する携帯端末。
【請求項２】
前記鳴動制御部は、
前記切替指示メッセージを受信した場合、前記切替指示メッセージに含まれる鳴動設定への切り替えを行うと共に、該鳴動設定への切り替え完了を通知する切替完了メッセージを作成し、前記端末リスト内の前記通信手段の情報を用いて、前記切替指示メッセージの送信元の携帯端末に対し、前記切替完了メッセージを送信し、
前記切替指示メッセージを送信した場合、その後、所定の時間が経過しても前記切替指示メッセージの送信先の全ての他端末から前記切替完了メッセージを受信しなかった場合、前記複数台の全ての携帯端末での鳴動設定の切り替えが未完了である旨を報知する、請求項１に記載の携帯端末。
【請求項３】
前記通信手段の情報が設定される端末設定部をさらに有し、
前記鳴動制御部は、
前記端末設定部にて前記通信手段の情報が設定された場合、該通信手段の情報で前記端末リストを更新すると共に、該通信手段の情報を含み、通信手段の同期を指示する同期メッセージを作成し、前記端末リスト内の前記通信手段の情報を用いて、前記複数台の携帯端末のうちの自端末以外の他端末に対し、前記同期メッセージを送信し、
前記同期メッセージを受信した場合、前記同期メッセージに含まれる前記通信手段の情報で前記端末リストを更新する、請求項１または２に記載の携帯端末。
【請求項４】
前記鳴動制御部は、
特定の装置と通信した場合、前記鳴動指示部を起動する、請求項１から３のいずれか１項に記載の携帯端末。
【請求項５】
各々が鳴動機能を備える複数台の携帯端末に無線接続された管理装置であって、
前記複数台の携帯端末毎に、該携帯端末との通信に用いる通信手段の情報を格納する端末リストと、
前記複数台の携帯端末のいずれかから、鳴動設定の内容を含み、該鳴動設定への切り替えを通知する切替通知メッセージを受信した場合、該鳴動設定の内容を含み、該鳴動設定への切り替えを指示する切替指示メッセージを作成し、前記端末リスト内の前記通信手段の情報を用いて、前記複数台の携帯端末のうちの前記切替通知メッセージの送信元の携帯端末以外の他端末に対し、前記切替指示メッセージを送信する鳴動制御部と、を有する管理装置。
【請求項６】
不在時応答サービスを提供する不在応答制御部をさらに有し、
前記鳴動制御部は、
前記複数台の携帯端末の鳴動設定を無鳴動に切り替えている状態で、前記複数台の携帯端末のいずれかに電話の着信があった場合、前記不在応答制御部を起動する、請求項５に記載の管理装置。
【請求項７】
各々が鳴動機能を備える複数台の携帯端末のうちの１つの携帯端末による鳴動制御方法であって、
前記複数台の携帯端末毎に、該携帯端末との通信に用いる通信手段の情報を端末リストに格納し、
自端末の鳴動設定の切り替えが指示された場合、該鳴動設定への切り替えを行うと共に、該鳴動設定の内容を含み、該鳴動設定への切り替えを指示する切替指示メッセージを作成し、前記端末リスト内の前記通信手段の情報を用いて、前記複数台の携帯端末のうちの自端末以外の他端末に対し、前記切替指示メッセージを送信する、鳴動制御方法。
【請求項８】
各々が鳴動機能を備える複数台の携帯端末に無線接続された管理装置による鳴動制御方法であって、
前記複数台の携帯端末毎に、該携帯端末との通信に用いる通信手段の情報を端末リストに格納し、
前記複数台の携帯端末のいずれかから、鳴動設定の内容を含み、該鳴動設定への切り替えを通知する切替通知メッセージを受信した場合、該鳴動設定の内容を含み、該鳴動設定への切り替えを指示する切替指示メッセージを作成し、前記端末リスト内の前記通信手段の情報を用いて、前記複数台の携帯端末のうちの前記切替通知メッセージの送信元の携帯端末以外の他端末に対し、前記切替指示メッセージを送信する、鳴動制御方法。
【発明の詳細な説明】
【技術分野】
【０００１】
本発明は、携帯端末の状態変化を利用者に報知する際の鳴動を制御する技術に関する。
【背景技術】
【０００２】
近年、携帯電話機等の携帯端末の多くは、電話の着信やメールの受信等をはじめとする携帯端末の状態変化を鳴動（スピーカによる鳴音やバイブレータによる振動）により利用者に報知する鳴動機能を備えている。
【０００３】
また、鳴動機能を備えた複数台の携帯端末を携帯する利用者も増えている。
【０００４】
ところで、鳴動機能を備えた携帯端末は、鳴音のＯＮ／ＯＦＦや振動のＯＮ／ＯＦＦといった鳴動設定が切り替え可能である。また、利用者が鳴動設定を切り替える状況としては、公共交通機関や公共施設等に出入りする状況が考えられる。
【０００５】
このような状況では、鳴動機能を備えた複数台の携帯端末を携帯する利用者は、そのうちの幾つかの携帯端末のみの鳴動設定を切り替えるのではなく、全ての携帯端末を同様の鳴動設定に切り替える必要があると考えられる。
【０００６】
しかし、利用者が全ての携帯端末を同様の鳴動設定に切り替えることは、負担が大きく、間違いを発生させやすい。
【０００７】
そこで最近は、利用者の負担を増大させることなく、携帯端末の鳴動設定を行うための技術が幾つか提案されている（特許文献１〜３参照）。
【０００８】
特許文献１に記載の技術では、着信音を鳴音させないマナーモードの解除忘れの携帯電話機に対して遠隔地からメールを送信し、その携帯電話機のマナーモードの解除をすることで、マナーモードの戻し忘れを防止する。
【０００９】
特許文献２に記載の技術では、携帯電話機が、着信音を鳴音させないマナーモードと着信音を鳴音させる通常モードとの間で着信モードの切り替えの正確さを反映する着信モード切替正確さ状態情報に基づいて、着信モードを変更する。
【００１０】
特許文献３に記載の技術は、携帯電話機が、予め設定された時間帯に機能の利用を制限する機能制限動作を実行し、機能制限動作では着信音の鳴音や振動を伴わない着信動作および受信動作を行わせる。
【先行技術文献】
【特許文献】
【００１１】
【特許文献１】特開２００９−１８８９５７号公報
【特許文献２】特開２０１２−００４９１３号公報
【特許文献３】特開２００８−１７２６８３号公報
【発明の概要】
【発明が解決しようとする課題】
【００１２】
しかしながら、特許文献１〜３に記載の技術は、利用者の負担を増大させずに携帯端末の鳴動設定を行うことはできるものの、利用者の携帯する全ての携帯端末を同様の鳴動設定に切り替えるものではない。
【００１３】
そこで、本発明の目的は、利用者の負担を増大させることなく、利用者の携帯する全ての携帯端末を同様の鳴動設定に切り替えることができる技術を提供することにある。
【課題を解決するための手段】
【００１４】
本発明の携帯端末は、
各々が鳴動機能を備える複数台の携帯端末のうちの１つの携帯端末であって、
前記複数台の携帯端末毎に、該携帯端末との通信に用いる通信手段の情報を格納する端末リストと、
自端末の鳴動設定の切り替えが指示される鳴動指示部と、
前記鳴動指示部にて自端末の鳴動設定の切り替えが指示された場合、該鳴動設定への切り替えを行うと共に、該鳴動設定の内容を含み、該鳴動設定への切り替えを指示する切替指示メッセージを作成し、前記端末リスト内の前記通信手段の情報を用いて、前記複数台の携帯端末のうちの自端末以外の他端末に対し、前記切替指示メッセージを送信する鳴動制御部と、を有する。
【００１５】
本発明の管理装置は、
各々が鳴動機能を備える複数台の携帯端末に無線接続された管理装置であって、
前記複数台の携帯端末毎に、該携帯端末との通信に用いる通信手段の情報を格納する端末リストと、
前記複数台の携帯端末のいずれかから、鳴動設定の内容を含み、該鳴動設定への切り替えを通知する切替通知メッセージを受信した場合、該鳴動設定の内容を含み、該鳴動設定への切り替えを指示する切替指示メッセージを作成し、前記端末リスト内の前記通信手段の情報を用いて、前記複数台の携帯端末のうちの前記切替通知メッセージの送信元の携帯端末以外の他端末に対し、前記切替指示メッセージを送信する鳴動制御部と、を有する。
【００１６】
本発明の第１の鳴動制御方法は、
各々が鳴動機能を備える複数台の携帯端末のうちの１つの携帯端末による鳴動制御方法であって、
前記複数台の携帯端末毎に、該携帯端末との通信に用いる通信手段の情報を端末リストに格納し、
自端末の鳴動設定の切り替えが指示された場合、該鳴動設定への切り替えを行うと共に、該鳴動設定の内容を含み、該鳴動設定への切り替えを指示する切替指示メッセージを作成し、前記端末リスト内の前記通信手段の情報を用いて、前記複数台の携帯端末のうちの自端末以外の他端末に対し、前記切替指示メッセージを送信する。
【００１７】
本発明の第２の鳴動制御方法は、
各々が鳴動機能を備える複数台の携帯端末に無線接続された管理装置による鳴動制御方法であって、
前記複数台の携帯端末毎に、該携帯端末との通信に用いる通信手段の情報を端末リストに格納し、
前記複数台の携帯端末のいずれかから、鳴動設定の内容を含み、該鳴動設定への切り替えを通知する切替通知メッセージを受信した場合、該鳴動設定の内容を含み、該鳴動設定への切り替えを指示する切替指示メッセージを作成し、前記端末リスト内の前記通信手段の情報を用いて、前記複数台の携帯端末のうちの前記切替通知メッセージの送信元の携帯端末以外の他端末に対し、前記切替指示メッセージを送信する。
【発明の効果】
【００１８】
本発明の一態様によれば、複数台の携帯端末の各々が、複数台の携帯端末の各々の通信手段の情報を格納した端末リストを備え、複数台の携帯端末のいずれかにて鳴動設定の切り替えが指示されると、その携帯端末が、端末リストに格納された通信手段の情報を用いて、他の全ての携帯端末に対し、同様の鳴動設定への切り替えを指示する切替指示メッセージを送信する。
【００１９】
本発明の他の態様によれば、管理装置が、複数台の携帯端末の各々の通信手段の情報を格納した端末リストを備え、複数台の携帯端末のいずれかから切替通知メッセージを受信すると、端末リストに格納された通信手段の情報を用いて、他の全ての携帯端末に対し、同様の鳴動設定への切り替えを指示する切替指示メッセージを送信する。
【００２０】
そのため、利用者は、１台の携帯端末に鳴動設定の切り替えを指示することのみで、全ての携帯端末を同様の鳴動設定に切り替えることができる。
【００２１】
よって、利用者の負担を増大させることなく、利用者の携帯する全ての携帯端末を同様の鳴動設定に切り替えることができるという効果が得られる。
【図面の簡単な説明】
【００２２】
【図１】本発明の第１の実施形態の通信システムの構成を示す図である。
【図２】本発明の第１の実施形態の携帯端末１０−１〜１０−Ｎの構成を示すブロック図である。
【図３】端末リスト１４の構成例を示す図である。
【図４】携帯端末１０−ｋが、鳴動設定を切り替える時の動作手順を示すフロー図である。
【図５】携帯端末１０−ｋが、鳴動設定を切り替えた後に他の携帯端末１０に切替指示メッセージを送信する時の動作手順を示すフロー図である。
【図６】携帯端末１０−ｋ以外の携帯端末１０−ｊが、携帯端末１０−ｋから切替指示メッセージを受信した時の動作手順を示すフロー図である。
【図７】携帯端末１０−ｋが、携帯端末１０−ｋ以外の携帯端末１０−ｊから切替完了メッセージを受信した時の動作手順を示すフロー図である。
【図８】携帯端末１０−ｋ以外の携帯端末１０−ｊが、携帯端末１０−ｋから同期メッセージを受信した時の動作手順を示すフロー図である。
【図９】本発明の第２および第３の実施形態の通信システムの構成を示す図である。
【図１０】本発明の第２の実施形態の管理装置２０の構成を示すブロック図である。
【図１１】携帯端末１０−ｋが、鳴動設定を切り替えた後に管理装置２０に切替通知メッセージを送信する時の動作手順を示すフロー図である。
【図１２】管理装置２０が、携帯端末１０−ｋから切替通知メッセージを受信した時の動作手順を示すフロー図である。
【図１３】携帯端末１０−ｋ以外の携帯端末１０−ｊが、管理装置２０から切替指示メッセージを受信した時の動作手順を示すフロー図である。
【図１４】管理装置２０が、携帯端末１０−ｋ以外の携帯端末１０−ｊから切替完了メッセージを受信した時の動作手順を示すフロー図である。
【図１５】本発明の第３の実施形態の管理装置２０の構成を示すブロック図である。
【発明を実施するための形態】
【００２３】
以下に、本発明を実施するための形態について図面を参照して説明する。
（１）第１の実施形態
図１に、本実施形態の通信システムの構成を示す。
【００２４】
図１を参照すると、本実施形態の通信システムは、Ｎ（Ｎは２以上の自然数）台の携帯端末１０−１〜１０−Ｎを有している。ここで、携帯端末１０−１〜１０−Ｎは、同一の利用者が携帯するもので、各々が鳴動機能を備えている。また、ｋ＝１，…，Ｎである。
【００２５】
本実施形態においては、携帯端末１０−１〜１０−Ｎは、通信事業者の通信回線を利用せずに、相互に通信を行う。ここで、携帯端末１０−１〜１０−Ｎ間の通信に用いる通信手段としては、無線ＬＡＮ通信、ブルートゥース（Bluetooth）通信、振動通信、音響通信、可視領域または可視領域外の光による光通信等が挙げられる。
【００２６】
図２に、本実施形態の携帯端末１０−１〜１０−Ｎの構成を示す。
【００２７】
図２を参照すると、本実施形態の携帯端末１０−１〜１０−Ｎは、鳴音／振動部１１と、鳴動指示部１２と、端末設定部１３と、端末リスト１４と、鳴動制御部１５と、受信部１６と、メッセージ抽出部１７と、メッセージ作成部１８と、送信部１９と、を有している。
【００２８】
鳴音／振動部１１は、鳴動制御部１５の制御の下で、電話の着信やメールの受信等をはじめとする自己の携帯端末１０の状態変化を利用者に報知するもので、鳴音により報知を行うスピーカや振動により報知を行うバイブレータを含む。
【００２９】
鳴動指示部１２は、自己の携帯端末１０に対する鳴動設定の切り替えを利用者が指示する部分であり、キーボード等の入力部品によって構成される。鳴動設定の切り替えとは、鳴音をＯＮからＯＦＦまたはその逆に切り替えたり、振動をＯＮからＯＦＦまたはその逆に切り替えたりすることを指すものとする。
【００３０】
端末設定部１３は、携帯端末１０−１〜１０−Ｎの情報を利用者が設定する部分であり、キーボード等の入力部品によって構成される。
【００３１】
利用者が端末設定部１３にて設定した携帯端末１０−１〜１０−Ｎの情報は、端末リスト１４に格納される。
【００３２】
図３に、端末リスト１４の構成例を示す。
【００３３】
図３を参照すると、端末リスト１４は、携帯端末１０−１〜１０−Ｎ毎に、その携帯端末１０を識別する識別番号の情報と、その携帯端末１０から後述の切替完了メッセージを受信した受信時刻の情報と、その携帯端末１０との通信に用いる通信手段（宛先を含む）の情報と、を対応付けて格納している。利用者が端末設定部１３にて設定する情報は、識別番号と通信手段の情報である。通信手段の情報の具体例としては、例えば、通信手段がブルートゥース通信であれば、ブルートゥース通信用のアドレス等である。
【００３４】
鳴動制御部１５は、鳴動指示部１２およびメッセージ抽出部１７によって起動され、鳴音／振動部１１の制御と、メッセージ作成部１８の制御と、携帯端末１０−１〜１０−Ｎの情報の端末リスト１４への格納を行う。鳴動制御部１５が格納する情報は、受信時刻の情報である。また、鳴動制御部１５は、端末リスト１４に基づく表示部（不図示）への表示も行う。
【００３５】
受信部１６は、他の携帯端末１０からのメッセージを受信する。
【００３６】
メッセージ抽出部１７は、受信部１６が受信したメッセージを抽出する。
【００３７】
メッセージ作成部１８は、鳴動制御部１５の制御の下で、他の携帯端末１０へ送信するメッセージを作成する。
【００３８】
送信部１９は、メッセージ作成部１８が作成したメッセージを他の携帯端末１０へ送信する。
【００３９】
以下、本実施形態の通信システムの動作について説明する。
【００４０】
以下では、利用者が、携帯するＮ台の携帯端末１０−１〜１０−Ｎのうち、携帯端末１０−ｋの鳴動指示部１２へ鳴動設定の切り替えを指示した場合の動作を説明する。
【００４１】
図４に、携帯端末１０−ｋが鳴動設定を切り替える時の動作手順のフローを示す。
【００４２】
図４を参照すると、携帯端末１０−ｋでは、利用者が鳴動指示部１２へ携帯端末１０−ｋの鳴動設定の切り替えを指示すると（ステップＳ１１のＹｅｓ）、鳴動指示部１２は、鳴動制御部１５を起動する。
【００４３】
次に、携帯端末１０−ｋでは、鳴動制御部１５は、鳴音／振動部１１を制御して、携帯端末１０−ｋの鳴動設定を切り替える（ステップＳ１２）。
【００４４】
図５に、携帯端末１０−ｋが鳴動設定を切り替えた後に他の携帯端末１０に切替指示メッセージを送信する時の動作手順のフローを示す。
【００４５】
図５を参照すると、携帯端末１０−ｋでは、利用者が鳴動指示部１２へ携帯端末１０−ｋの鳴動設定の切り替えを指示すると（ステップＳ２１のＹｅｓ）、鳴動指示部１２は、鳴動制御部１５を起動する。
【００４６】
以降、携帯端末１０−ｋでは、図４のステップＳ１２で説明したように携帯端末１０−ｋの鳴動設定を切り替えた後に、以下の動作を行う。
【００４７】
すなわち、まず、携帯端末１０−ｋでは、鳴動制御部１５は、現在の時刻をＴkとして格納する（ステップＳ２２）。Ｔkは、端末リスト１４における携帯端末１０−ｋの受信時刻として格納することができる。
【００４８】
次に、携帯端末１０−ｋでは、鳴動制御部１５は、他の全ての携帯端末１０−ｊについて、端末リスト１４における受信時刻ｔjが、Ｔk≦ｔjを満たすか否かを判定する（ステップＳ２３）。ここで、ｊ＝１，…，Ｎで、かつ、ｊ≠ｋである。なお、本実施形態では、時刻同士の比較を大小で表し、小さい方が古い時刻であるとする。
【００４９】
この時点のｔｊは、前回、携帯端末１０−ｋが利用者による鳴動指示部１２への指示に従って鳴動設定を切り替えた時に、他の携帯端末１０−ｊから切替完了メッセージを受信した受信時刻である。したがって、この時点では、他の全ての携帯端末１０−ｊについて、ｔｊはＴkよりも小さい値であるため、ステップＳ２４，Ｓ２５に進む。
【００５０】
次に、携帯端末１０−ｋでは、鳴動制御部１５は、受信時刻ｔjがＴk＞ｔjとなる全ての携帯端末１０−ｊについて、端末リスト１４から通信手段ｍjを読み出す処理と、メッセージ作成部１８を制御して、携帯端末１０−ｋの識別番号および携帯端末１０−ｋで切り替えた鳴動設定の内容を含み、鳴動設定の切り替えを指示する切替指示メッセージを作成し、その切替指示メッセージを、通信手段ｍjを用いて、送信部１９から携帯端末１０−ｊに送信する処理と、を繰り返し行う（ステップＳ２４，Ｓ２５）。
【００５１】
携帯端末１０−ｋでは、後述する図７の手順により端末リスト１４におけるｔjが更新されると、Ｔk≦ｔjを満たすようになり、全ての携帯端末１０−ｊについてＴk≦ｔjが満たされると、図５の手順が終了する。
【００５２】
なお、図５において、ステップＳ２３の条件が満たされない場合には、このままでは、手順が終了しない。そのため、携帯端末１０−ｋの鳴動制御部１５は、別に用意したタイマー等により、最後の携帯端末１０に切替指示メッセージを送信してから所定の時間が経過したことを検知した場合には、全ての携帯端末１０−１〜１０−Ｎの鳴動設定の切り替えが未完了である旨を利用者に報知しても良い。報知の方法としては、鳴音や振動等で報知する方法や、鳴動設定の切り替えが完了できなかった携帯端末１０−ｊの一覧を表示部（不図示）に表示する方法等がある。
【００５３】
図６に、携帯端末１０−ｋ以外の携帯端末１０−ｊが、携帯端末１０−ｋから切替指示メッセージを受信した時の動作手順のフローを示す。
【００５４】
図６を参照すると、携帯端末１０−ｊでは、受信部１６が切替指示メッセージを受信すると（ステップＳ３１のＹｅｓ）、メッセージ抽出部１７は、切替指示メッセージから、切替指示メッセージを送信してきた携帯端末１０−ｋの識別番号ｋおよび携帯端末１０−ｋで切り替えた鳴動設定の内容を抽出し（ステップＳ３２）、鳴動制御部１５を起動する。
【００５５】
次に、携帯端末１０−ｊでは、鳴動制御部１５は、鳴音／振動部１１を制御して、携帯端末１０−ｊの鳴動設定を切り替える（ステップＳ３３）。
【００５６】
次に、携帯端末１０−ｊでは、鳴動制御部１５は、端末リスト１４から識別番号ｋに対応する通信手段ｍkを読み出す処理と、メッセージ作成部１８を制御して、携帯端末１０−ｊの識別番号を含み、鳴動設定の切り替え完了を通知する切替完了メッセージを作成し、その切替完了メッセージを、通信手段ｍkを用いて、送信部１９から携帯端末１０−ｋに送信する処理と、を行う（ステップＳ３４）。
【００５７】
図７に、携帯端末１０−ｋが、携帯端末１０−ｋ以外の携帯端末１０−ｊから切替完了メッセージを受信した時の動作手順のフローを示す。
【００５８】
図７を参照すると、携帯端末１０−ｋでは、受信部１６が切替完了メッセージを受信すると（ステップＳ４１のＹｅｓ）、メッセージ抽出部１７は、切替完了メッセージから、切替完了メッセージを送信してきた携帯端末１０−ｊの識別番号ｊを抽出し（ステップＳ４２）、鳴動制御部１５を起動する。
【００５９】
次に、携帯端末１０−ｋでは、鳴動制御部１５は、端末リスト１４における識別番号ｊに対応する受信時刻ｔjとして現在の時刻を格納する（ステップＳ４３）。これにより、ｔjが更新されて、図５のステップＳ２３におけるＴk≦ｔjを満たすようになる。
【００６０】
以上の図４〜図７の手順により、Ｎ台の携帯端末１０−１〜１０−Ｎを携帯する利用者が、そのうちの１台の携帯端末１０−ｋの鳴動設定を切り替えた場合に、Ｎ台の全ての携帯端末１０−１〜１０−Ｎの鳴動設定が、速やかに、同様の鳴動設定に切り替えられる。
【００６１】
なお、端末リスト１４に、携帯端末１０−１〜１０−Ｎの通信手段ｍ1〜ｍNを格納するのは、主に、端末設定部１３を使った利用者の操作である。
【００６２】
しかし、Ｎ台の携帯端末１０−１〜１０−Ｎの各々に対して、相互に一貫性をもつよう、通信手段ｍ1〜ｍNを格納することは利用者の操作上の負担となる。
【００６３】
そこで、Ｎ台の携帯端末１０−１〜１０−Ｎの間で、通信手段ｍ1〜ｍNの内容を、携帯端末１０同士の通信機能により、同期させる。
【００６４】
例えば、携帯端末１０−ｋにおいて、利用者が端末設定部１３により通信手段ｍ1〜ｍNを設定したとする。この場合、携帯端末１０−ｋでは、端末設定部１３にて設定された通信手段ｍ1〜ｍNの情報で端末リスト１４を更新すると共に、その通信手段ｍ1〜ｍNを含み、通信手段の同期を指示する同期メッセージを、他の携帯端末１０−ｊに送信する。
【００６５】
図８に、携帯端末１０−ｋ以外の携帯端末１０−ｊが、携帯端末１０−ｋから同期メッセージを受信した時の動作手順のフローを示す。
【００６６】
図８を参照すると、携帯端末１０−ｊでは、受信部１６が同期メッセージを受信すると（ステップＳ５１のＹｅｓ）、メッセージ抽出部１７は、同期メッセージから通信手段ｍ1〜ｍNを抽出し（ステップＳ５２）、鳴動制御部１５を起動する。
【００６７】
次に、携帯端末１０−ｊでは、鳴動制御部１５は、同期メッセージから抽出された通信手段ｍ1〜ｍNを、端末リスト１４に格納されている通信手段ｍ1〜ｍNと照合し、端末リスト１４を更新する（ステップＳ５３）。
【００６８】
上述したように本実施形態においては、利用者の携帯するＮ台の携帯端末１０−１〜１０−Ｎの各々が、Ｎ台の携帯端末１０−１〜１０−Ｎの通信手段ｍ1〜ｍNの情報等を格納した端末リスト１４を備え、例えば、携帯端末１０−ｋへ利用者が鳴動設定の切り替えを指示すると、その携帯端末１０−ｋが、端末リスト１４に格納された通信手段ｍ1〜ｍNの情報を用いて、他の全ての携帯端末１０−ｊに対し、携帯端末１０−ｋと同様の鳴動設定への切り替えを指示する切替指示メッセージを送信する。
【００６９】
そのため、利用者は、１台の携帯端末１０−ｋに鳴動設定の切り替えを指示することのみで、全ての携帯端末１０−１〜１０−Ｎを同様の鳴動設定に切り替えることができる。
【００７０】
よって、利用者の負担を増大させることなく、利用者の携帯する全ての携帯端末１０−１〜１０−Ｎを同様の鳴動設定に切り替えることができるという効果が得られる。
【００７１】
また、本実施形態においては、同一の利用者が携帯するＮ台の携帯端末１０−１〜１０−Ｎは相互に近接しているであろうことを生かして、Ｎ台の携帯端末１０−１〜１０−Ｎ間の通信は、通信事業者の通信回線を利用せずに、無線ＬＡＮ通信、ブルートゥース通信、振動通信、音響通信、光通信等を利用する。
【００７２】
そのため、全ての携帯端末１０−１〜１０−Ｎを同様の鳴動設定に切り替える制御を低消費電力で実現することができるという効果が得られる。
【００７３】
また、本実施形態においては、利用者の携帯するＮ台の携帯端末１０−１〜１０−Ｎのうち、例えば、携帯端末１０−ｋへ利用者が通信手段ｍ1〜ｍNを設定すると、その携帯端末１０−ｋが、端末リスト１４に格納された通信手段ｍ1〜ｍNの情報を用いて、他の全ての携帯端末１０−ｊに対し、通信手段ｍ1〜ｍNの同期を指示する同期メッセージを送信する。
【００７４】
そのため、利用者がＮ台の携帯端末１０−１〜１０−Ｎの各々に対して通信手段ｍ1〜ｍNを設定する必要がなくなり、利用者の操作上の負担を軽減することができるという効果が得られる。
（２）第２の実施形態
図９に、本実施形態の通信システムの構成を示す。
【００７５】
図９を参照すると、本実施形態の通信システムは、図１に示した第１の実施形態と比較して、ネットワーク内に配置され、通信事業者の通信回線を介して携帯端末１０−１〜１０−Ｎに無線接続された管理装置２０を追加している。
【００７６】
本実施形態においては、携帯端末１０−１〜１０−Ｎは、通信事業者の通信回線を利用して、管理装置２０を介して相互に通信を行う。
【００７７】
また、本実施形態においては、利用者が携帯端末１０−ｋに鳴動設定の切り替えを指示した場合、携帯端末１０−ｋは、管理装置２０に対して後述の切替通知メッセージを送信し、管理装置２０は、携帯端末１０−ｋの代理として、他の全ての携帯端末１０−ｊの鳴動設定を、携帯端末１０−ｋと同様の鳴動設定に切り替える制御を行う。
【００７８】
図１０に、本実施形態の管理装置２０の構成を示す。
【００７９】
図１０を参照すると、本実施形態の管理装置２０は、端末設定部２３と、端末リスト２４と、鳴動制御部２５と、受信部２６と、メッセージ抽出部２７と、メッセージ作成部２８と、送信部２９と、を有している。
【００８０】
すなわち、管理装置２０は、図２に示した構成要素から、鳴音／振動部１１および鳴動指示部１２を除いた構成に相当し、図１０に示した構成要素は、図２に示した端末設定部１３、端末リスト１４、鳴動制御部１５、受信部１６、メッセージ抽出部１７、メッセージ作成部１８、および送信部１９の各々に相当する。
【００８１】
なお、本実施形態においては、携帯端末１０−１〜１０−Ｎは、管理装置２０との通信に用いる通信手段（宛先を含む）のみを知っていればよく、他の携帯端末１０との通信に用いる通信手段を知っている必要はない。
【００８２】
そのため、本実施形態の携帯端末１０−１〜１０−Ｎは、図２に示した端末設定部１３および端末リスト１４の代わりに、管理装置２０との通信に用いる通信手段（宛先を含む）の情報を格納する手段と、その情報を設定する手段と、を設けた構成となる。
【００８３】
以下、本実施形態の通信システムの動作について説明する。
【００８４】
以下では、利用者が、携帯するＮ台の携帯端末１０−１〜１０−Ｎのうち、携帯端末１０−ｋの鳴動指示部１２へ鳴動設定の切り替えを指示した場合の動作を説明する。
【００８５】
なお、携帯端末１０−ｋが鳴動設定を切り替える時の動作手順は、図４と同様であるため、説明を省略する。
【００８６】
図１１に、携帯端末１０−ｋが鳴動設定を切り替えた後に管理装置２０に切替通知メッセージを送信する時の動作手順のフローを示す。
【００８７】
図１１を参照すると、携帯端末１０−ｋでは、利用者が鳴動指示部１２へ携帯端末１０−ｋの鳴動設定の切り替えを指示すると（ステップＳ６１のＹｅｓ）、鳴動指示部１２は、鳴動制御部１５を起動する。
【００８８】
次に、携帯端末１０−ｋでは、鳴動制御部１５は、図４のステップＳ１２で説明したように携帯端末１０−ｋの鳴動設定を切り替えた後、携帯端末１０−ｋの識別番号および携帯端末１０−ｋで切り替えた鳴動設定の内容を含み、鳴動設定の切り替えを通知する切替通知メッセージを作成し、その切替通知メッセージを、送信部１９から管理装置２０に送信する処理を行う（ステップＳ６２）。
【００８９】
図１２に、管理装置２０が、携帯端末１０−ｋから切替通知メッセージを受信した時の動作手順のフローを示す。
【００９０】
図１２を参照すると、管理装置２０では、受信部２６が切替通知メッセージを受信すると（ステップＳ７１のＹｅｓ）、メッセージ抽出部２７は、切替通知メッセージから、切替通知メッセージを送信してきた携帯端末１０−ｋの識別番号ｋおよび携帯端末１０−ｋで切り替えた鳴動設定の内容を抽出し（ステップＳ７２）、鳴動制御部２５を起動する。
【００９１】
次に、管理装置２０では、鳴動制御部２５は、端末リスト２４における識別番号ｋに対応する受信時刻Ｔkとして現在の時刻を格納する（ステップＳ７３）。
【００９２】
次に、管理装置２０では、鳴動制御部２５は、他の全ての携帯端末１０−ｊについて、端末リスト２４における受信時刻ｔjが、Ｔk≦ｔjを満たすか否かを判定する（ステップＳ７４）。
【００９３】
この時点では、第１の実施形態と同様に、他の全ての携帯端末１０−ｊについて、ｔｊはＴkよりも小さい値であるため、ステップＳ７５，Ｓ７６に進む。
【００９４】
次に、管理装置２０では、鳴動制御部２５は、受信時刻ｔjがＴk＞ｔjとなる全ての携帯端末１０−ｊについて、端末リスト２４から通信手段ｍjを読み出す処理と、メッセージ作成部２８を制御して、携帯端末１０−ｋで切り替えた鳴動設定の内容を含み、鳴動設定の切り替えを指示する切替指示メッセージを作成し、その切替指示メッセージを、通信手段ｍjを用いて、送信部１９から携帯端末１０−ｊに送信する処理と、を繰り返し行う（ステップＳ７５，Ｓ７６）。
【００９５】
管理装置２０では、後述する図１４の手順により端末リスト２４におけるｔjが更新されると、Ｔk≦ｔjを満たすようになり、全ての携帯端末１０−ｊについてＴk≦ｔjが満たされると、図１２の手順が終了する。
【００９６】
なお、図１２においては、管理装置２０の鳴動制御部２５は、第１の実施形態と同様に、別に用意したタイマー等により、最後の携帯端末１０に切替指示メッセージを送信してから所定の時間が経過したことを検知した場合には、全ての携帯端末１０−１〜１０−Ｎの鳴動設定の切り替えが未完了である旨を利用者に報知しても良い。報知の方法としては、管理装置２０の鳴動制御部２５が、その旨の情報を携帯端末１０−ｋに送信し、携帯端末１０−ｋの鳴動制御部１５が、鳴音や振動等で報知する方法や、鳴動設定の切り替えが完了できなかった携帯端末１０−ｊの一覧を表示部（不図示）に表示する方法等がある。
【００９７】
図１３に、携帯端末１０−ｋ以外の携帯端末１０−ｊが、管理装置２０から切替指示メッセージを受信した時の動作手順のフローを示す。
【００９８】
図１３を参照すると、携帯端末１０−ｊでは、受信部１６が切替指示メッセージを受信すると（ステップＳ８１のＹｅｓ）、メッセージ抽出部１７は、切替指示メッセージから、携帯端末１０−ｋで切り替えた鳴動設定の内容を抽出し（ステップＳ８２）、鳴動制御部１５を起動する。
【００９９】
次に、携帯端末１０−ｊでは、鳴動制御部１５は、鳴音／振動部１１を制御して、携帯端末１０−ｊの鳴動設定を切り替える（ステップＳ８３）。
【０１００】
次に、携帯端末１０−ｊでは、鳴動制御部１５は、メッセージ作成部１８を制御して、携帯端末１０−ｊの識別番号を含み、鳴動設定の切り替え完了を通知する切替完了メッセージを作成し、その切替完了メッセージを、送信部１９から管理装置２０に送信する処理を行う（ステップＳ８４）。
【０１０１】
図１４に、管理装置２０が、携帯端末１０−ｋ以外の携帯端末１０−ｊから切替完了メッセージを受信した時の動作手順のフローを示す。
【０１０２】
図１４を参照すると、管理装置２０では、受信部２６が切替完了メッセージを受信すると（ステップＳ９１のＹｅｓ）、メッセージ抽出部２７は、切替完了メッセージから、切替完了メッセージを送信してきた携帯端末１０−ｊの識別番号ｊを抽出し（ステップＳ９２）、鳴動制御部２５を起動する。
【０１０３】
次に、管理装置２０では、鳴動制御部２５は、端末リスト２４における識別番号ｊに対応する受信時刻ｔjとして現在の時刻を格納する（ステップＳ９３）。これにより、ｔjが更新されて、図１２のステップＳ７４におけるＴk≦ｔjを満たすようになる。
【０１０４】
上述したように本実施形態においては、管理装置２０が、利用者の携帯するＮ台の携帯端末１０−１〜１０−Ｎの通信手段ｍ1〜ｍNの情報等を格納した端末リスト１４を備え、例えば、携帯端末１０−ｋから切替通知メッセージを受信すると、端末リスト１４に格納された通信手段ｍ1〜ｍNの情報を用いて、他の全ての携帯端末１０−ｊに対し、携帯端末１０−ｋと同様の鳴動設定への切り替えを指示する切替指示メッセージを送信する。
【０１０５】
そのため、利用者は、１台の携帯端末１０−ｋに鳴動設定の切り替えを指示することのみで、全ての携帯端末１０−１〜１０−Ｎを同様の鳴動設定に切り替えることができる。
【０１０６】
よって、利用者の負担を増大させることなく、利用者の携帯する全ての携帯端末１０−１〜１０−Ｎを同様の鳴動設定に切り替えることができるという効果が得られる。
（３）第３の実施形態
本実施形態は、通信システムの構成自体は図９に示した第２の実施形態と同様であり、管理装置２０の構成が第２の実施形態とは異なる。
【０１０７】
図１５に、本実施形態の管理装置２０の構成を示す。
【０１０８】
図１５を参照すると、本実施形態の管理装置２０は、図１０に示した第２の実施形態と比較して、不在応答制御部３０を追加している。
【０１０９】
不在応答制御部３０は、通信事業者の既存サービスである不在時応答サービスを提供する。不在時応答サービスとは、利用者の不在時に電話の着信があった場合に、着信転送、留守番メッセージでの応答や用件の録音、メールへの転送、自動メールの返信／送信等を行うサービスである。
【０１１０】
本実施形態においては、鳴動制御部２５は、鳴動設定の制御と不在応答制御部３０が提供する不在時応答サービスとを連携させる。
【０１１１】
具体的には、鳴動制御部２５は、Ｎ台の全ての携帯端末１０−１〜１０−Ｎの鳴動設定を、鳴音および振動が共にＯＦＦの、いわゆる無鳴動に切り替えている状態で、携帯端末１０−１〜１０−Ｎのいずれかに電話の着信があった場合、不在応答制御部３０を起動し、不在時応答サービスを提供させる。
【０１１２】
これにより、Ｎ台の全ての携帯端末１０−１〜１０−Ｎの鳴動設定を無鳴動に切り替えている状態での着信機会の確保を図ることが可能となるという効果が得られる。
【０１１３】
その他の効果は、第２の実施形態と同様である。
（４）他の実施形態
以上、実施形態を参照して本発明を説明したが、本発明は上記実施形態に限定されるものではない。本発明の構成や詳細には、本発明の範囲内で当業者が理解し得る様々な変更をすることができる。
【０１１４】
例えば、第１〜第３の実施形態のいずれにおいても、利用者が携帯端末１０−ｋに鳴動設定の切り替えを指示する状況は、以下のような装置の近傍に位置している状況であると考えられる。
・航空機、公共交通機関、会議施設、ホール、公共施設等に設置されたゲート装置
・電子チケットを読み取るためのチケット読み取り端末
そこで、携帯端末１０−ｋでは、鳴動制御部１５は、上記のようなゲート装置やチケット読み取り端末等の特定の装置と以下のような通信をしたことをトリガーとして、鳴動指示部１４を起動しても良い。これにより、携帯端末１０の低消費電力化が図れる。
・振動通信
・音響通信
・赤外線通信
・ＮＦＣ（Near Field Communication）等の近接無線通信
・ブルートゥース通信
・無線ＬＡＮ通信
また、上記実施形態においては、携帯端末１０−ｋにて鳴音をＯＮからＯＦＦまたはその逆に切り替えた場合、および、振動をＯＮからＯＦＦまたはその逆に切り替えた場合に、全ての携帯端末１０−１〜１０−Ｎを同様の鳴動設定に切り替える制御を行ったが、この切り替え制御は、鳴動設定の特定の切り替えには適用しないこととしても良い。特定の切り替えとは、例えば、鳴音がＯＮである時に、振動をＯＮからＯＦＦまたはその逆に切り替えること等が挙げられる。
【０１１５】
また、上記実施形態においては、携帯端末１０の鳴動設定の制御に関して説明を行ったが、携帯端末１０間の通信手段として電波以外の音響、振動、光等の媒体を利用した場合、携帯端末１０の鳴動設定の制御に加えて、携帯端末１０の電波の停止あるいは再開を制御することも同様に可能となる。
【符号の説明】
【０１１６】
１０−１〜１０−Ｎ    携帯端末
１１    鳴音／振動部
１２    鳴動指示部
１３    端末設定部
１４    端末リスト
１５    鳴動制御部
１６    受信部
１７    メッセージ抽出部
１８    メッセージ作成部
１９    送信部
２０    管理装置
２３    端末設定部
２４    端末リスト
２５    鳴動制御部
２６    受信部
２７    メッセージ抽出部
２８    メッセージ作成部
２９    送信部
３０    不在応答制御部
【図１】
2015005863.tif 000003
【図２】
2015005863.tif 000004
【図３】
2015005863.tif 000005
【図４】
2015005863.tif 000006
【図５】
2015005863.tif 000007
【図６】
2015005863.tif 000008
【図７】
2015005863.tif 000009
【図８】
2015005863.tif 000010
【図９】
2015005863.tif 000011
【図１０】
2015005863.tif 000012
【図１１】
2015005863.tif 000013
【図１２】
2015005863.tif 000014
【図１３】
2015005863.tif 000015
【図１４】
2015005863.tif 000016
【図１５】
2015005863.tif 000017